(57)【要約】      （修正有）【課題】電池のような有限エネルギーによって動作時間が限定されず、装置が遭難者とともにあり、救助者が確実に遭難者を見つけ出せる救命用装置をを提供する。【解決手段】救命胴衣あるいは救命浮輪１に、波のエネルギーを受容して動力を発生するエネルギー受容装置と、動力を電力に変換する発電装置３と、電力によって発光する発光装置４あるいは発信する発信機のうちの少なくとも一つと、で構成される装置を装着し、発光装置や発信機を動作させる。【選択図】図１
2017210224.tif 000002
【特許請求の範囲】
【請求項１】
波のエネルギーを受容して動力を発生するエネルギー受容装置と、前記動力を電力に変換する発電装置と、前記電力によって発光する発光装置あるいは発信する発信機のうちの少なくとも一つと、で構成される装置が、救命胴衣あるいは浮輪に装着していることを特徴とする救命システム
【請求項２】
前記救命システムの波のエネルギー受容装置は、波のエネルギーで動作する浮体を具備し、該浮体の運動を発電の動力とすることを特徴とする第１の発明に記載の救命システム
【請求項３】
前記救命システムの発電装置の発電機は、コイル軸に対して磁性体が平行に動くリニア発電機であり、前記磁性体は、波のエネルギーで動作する浮体と伝達機構によって連結されていることを特徴とする発明１に記載の救命システム
【請求項４】
波のエネルギーを受容して動力を発生する受容装置と、前記動力を電力に変換する発電装置と、前記電力によって発光する発光装置あるいは発信する発信機のうちの少なくとも一つを具備することを特徴とする救命胴衣あるいは浮輪
【発明の詳細な説明】
【技術分野】
【０００１】  本発明は、波力に基づいて電力を発生する装置と、その電力によって発光する発光装置や発信機が装備される救命胴衣や浮輪に関する。
【背景技術】
【０００２】  ほとんどの船舶には遭難時の救命用として浮輪が備え付けられている。遭難時に海に投げ出された遭難者が頼りにするのは、この浮輪であるが、視界の悪い暗い夜の海で遭難者が浮輪を見つけるのは至難である。また、遭難者が運よく浮輪にたどり着いたとしても、このような環境で漂流する遭難者や浮輪を、救助船や救助ヘリコプターにある救助者が発見するのは容易ではない。これは、遭難者が救命胴衣で漂流している場合も事情は同じである。
特開２０００−６２６８７号公報には夜間遭難時の救命発光装置が提案されている。しかしながら、この方法は発光部分の電源として電池を使用する方法で、漂流が長時間続いた場合は発光が停止してしまうという問題がある。また、電池は定期的に交換しないと劣化する性質があり、メンテナンス的にも費用的にも面倒な問題がある。
特開２００２−２６９６４５号公報には、太陽電池で充電する方法が紹介されているが、夜間に電池が損耗した場合には使用できないことが明らかである。
また、これらの装置は、海上に投げ出されて発光するが、遭難者とは別個に漂流するのであって、時間が経過すれば、これらの装置と遭難者が近い位置にあるという保証はない。
人命を救助する一分一秒を争うこのような視界の悪い環境において、容易に遭難者を発見し得る救命用発光装置あるいは発信機はまだ現れていない。
【先行技術文献】
【特許文献】
【０００３】
【特許文献１】  特開２０００−６２６８７号公報
【特許文献２】  特開２００２−２６９６４５号公報
【発明の概要】
【発明が解決しようとする課題】
【０００４】  本発明者は、従来の夜間遭難時に使用する救命用発光装置が、遭難時の遭難者と必ずしも同行しないこと、発光の電源として持続時間に難のある電池等を使用していることから遭難が長引いたとき使用不能になることに着目した。【０００５】  そこで、本発明者は、電池のような有限エネルギーによって動作時間が限定されず、装置が遭難者とともにあり、救助者が確実に遭難者を見つけ出せる救命用装置を鋭意検討した。
その結果、海上に漂流する救命胴衣や浮輪の周囲に発生する波のエネルギーを利用して発電する波力発電装置を救命胴衣や浮輪に装着し、その発生電力で発光装置や発信機を動作させることで、前記課題を克服し得ることを見出した。【０００６】  すなわち、本発明は、上記事情に鑑みてなされたもので、救命胴衣や浮輪に装着し、波のエネルギーを電力に変える波力発電装置と発生する該電力によって発光する発光装置や場所情報を発信する発信機を具備してなる小型軽量の救命用装置を提供することである。
【課題を解決するための手段】
【０００７】  本発明は、上記課題を解決するためになされたもので、以下の構成を具備している。
発明１は、波のエネルギーを受容して動力を発生するエネルギー受容装置と、前記動力を電力に変換する発電装置と、前記電力によって発光する発光装置あるいは発信する発信機のうちの少なくとも一つと、で構成される装置が、救命胴衣あるいは浮輪に装着していることを特徴とする救命システムである。【０００８】  発明２は、前記救命システムの波のエネルギー受容装置は、波のエネルギーで動作する浮体を具備し、該浮体の運動を発電の動力とすることを特徴とする第１の発明に記載の救命システムである。【０００９】  発明３は、前記救命システムの発電装置の発電機は、コイル軸に対して磁性体が平行に動くリニア発電機であり、前記磁性体は、波のエネルギーで動作する浮体と伝達機構によって連結されていることを特徴とする発明１に記載の救命システムである。【００１０】  発明４は、波のエネルギーを受容して動力を発生するエネルギー受容装置と、前記動力を電力に変換する発電装置と、前記電力によって発光する発光装置あるいは発信する発信機のうちの少なくとも一つを具備することを特徴とする救命胴衣あるいは浮輪である。
【発明の効果】
【００１１】  本発明によれば、遭難時間や視界の環境に関わらず、波のエネルギーによって電力を得て、光あるいは信号によって、遭難者の位置を的確に救助者に伝え得る救命システムを提供することができる。
【図面の簡単な説明】
【図１】  図１は第１実施形態にかかる救命システムの概略的な構成を示す図である。
【図２】  図２は第１実施形態にかかるエネルギー受容装置と発電装置の概略的な構成を示す図である。
【図３】  図３は第２実施形態にかかる救命システムの概略的な構成を示す図である。
【発明を実施するための形態】
【００１２】    いくつかの実施形態につき図面を参照しながら説明する。
（第１実施形態）
図１は第１実施形態にかかる救命システムの概略的な構成を示す図である。
浮輪１に接続バンド２によって発電装置３が固定されている。発電装置３にはＬＥＤ発光部４が具備されている。浮体６は運動伝達アーム５に固定され、波の運動を受けて運動伝達アーム５を上下動させる。図示しないが、運動伝達アーム５は発電装置３内部の永久磁石に連結し、永久磁石を上下させることで、図示しないが発電装置３内部のコイルに電力を発生させる。この電力をＬＥＤ発光部４に電導し、ＬＥＤを発光させる。ＬＥＤ発光部には、上下２面にＬＥＤ７ａ，７ｂが張られており、浮輪１の上下が反転しても光が天に向けて行くよう工夫されている。ＬＥＤ発光部４にはＬＥＤを発光させるための電子回路、コントロール回路や蓄電部、発信装置なども組み込むことができる。こうした技術は公知の技術を用いればよいので詳述しない。ＬＥＤ７ａ，７ｂは発光効果を増すために別の場所、例えば接続バンド２の上下面等に設置してもよい。
浮体６は、発泡スチロールや、ビニール製で息を吹き込んで膨らませるもの、あるいは樹脂成型のものなど、浮力を発生させるものであればいずれをも使用し得る。運動伝動アーム５は、その構造に浮体６の運動エネルギーをあげるため、てこの原理を応用した連結部なども付加してもよい。
図２は第１実施形態にかかるエネルギー受容装置と発電装置の概略的な構成を示す図である。
発電部ケース８の内部にはコイル部１２が配置されている。その中央を波力を受けた浮体６の動きを伝達する運動伝達アーム５に連結された永久磁石１１が上下し、コイル部１２に電力を発生させる。運動伝達アーム５は発電部ケース８の上面と下面に開けられた穴によって発電部８に挿入され上下動可能となっている。この穴の近傍には、浮体の動きをスムーズにするためのスプリングばね９ａ、９ｂと防水膜１０ａ、１０ｂが配置されている。この構成により、浮輪１が反転しても、同様の発電力が得られるように工夫されている。発電部ケース８内部の構造については、リニア発電機のタイプではなく、運動伝達アーム５の上下動を、クランク機構等で回転運動に変換し、増速機等を通して、回転力で発電するタイプの発電機を配置することもできる。発電部８で使用する発電機構はいかなる公知の技術も使いうる。
【００１３】（第２実施形態）
図３は第２実施形態にかかる救命システムの概略的な構成を示す図である。
救命胴衣１３の胸元に発電装置３を付けている。遭難者が漂流中に、浮体６が動けばＬＥＤが発行する仕組みである。この図では、救命胴衣１３の胸元に発電装置３を装着しているが、本発明はこれに限定されるものではない。例えば、伸縮する紐で救命胴衣１３と発電装置３をつなげて海上を浮遊させることもできる。
【産業上の利用可能性】本発明を利用すれば、海難事故などによる救命率を上げることはもちろんのこと、例えば浮遊し発光する浮輪によって、沈没船の場所の特定等にも効果を発揮することが期待される。
【符号の説明】１…浮輪、２…接続バンド、３…発電装置、４…ＬＥＤ発光部、５…運動伝達アーム、６…浮体、７ａ、７ｂ…ＬＥＤ、８…発電部、９ａ、９ｂ…スプリングばね、１０ａ、１０ｂ…防水膜、１１…永久磁石、１２…コイル部、１３…救命胴衣
【図１】
2017210224.tif 000003
【図２】
2017210224.tif 000004
【図３】
2017210224.tif 000005
【手続補正書】
【提出日】平成28年9月20日(2016.9.20)
【手続補正１】
【補正対象書類名】明細書
【補正対象項目名】全文
【補正方法】変更
【補正の内容】
【発明の詳細な説明】
【技術分野】
【０００１】
本発明は、水難救命具に、波力に基づいて電力を発生する装置と、その電力によって発光する発光装置や発信機が装備される水難救命装置及び水難救命装置用救命情報発信装置に関する。
【背景技術】
【０００２】
ほとんどの船舶には遭難時の救命用として浮輪が備え付けられている。遭難時に海に投げ出された遭難者が頼りにするのは、この浮輪であるが、視界の悪い暗い夜の海で遭難者が浮輪を見つけるのは至難である。また、遭難者が運よく浮輪にたどり着いたとしても、このような環境で漂流する遭難者や浮輪を、救助船や救助ヘリコプターにある救助者が発見するのは容易ではない。これは、遭難者が救命胴衣で漂流している場合も事情は同じである。
特開２０００-６２６８７号公報（特許文献１）には夜間遭難時の救命発光装置が提案されている。しかしながら、この方法は発光部分の電源として電池を使用する方法で、漂流が長時間続いた場合は発光が停止してしまうという問題がある。また、電池は定期的に交換しないと劣化する性質があり、メンテナンス的にも費用的にも面倒な問題がある。
特開２００２-２６９６４５号公報（特許文献２）には太陽電池で充電する方法が紹介されているが、夜間に電池が損耗した場合には使用できないことが明らかである。
また、これらの装置は、海上に投げ出されて発光するが、遭難者とは別個に漂流するのであって、時間が経過すれば、これらの装置と遭難者が近い位置にあるという保証はない。
人命を救助する一分一秒を争うこのような視界の悪い環境において、容易に遭難者を発見し得る救命用発光装置あるいは発信機はまだ現れていない。
【先行技術文献】
【特許文献】
【０００３】
【特許文献１】特開2000-62687号公報
【特許文献２】特開2002-269645号公報
【発明の概要】
【発明が解決しようとする課題】
【０００４】
本発明者は、従来の夜間遭難時に使用する救命用発光装置が遭難時の遭難者と必ずしも同行しないこと、また、発光の電源として持続時間に難のある電池等を使用していることから遭難が長引いたとき使用不能になることに着目した。
【０００５】
そこで、本発明者は、電池のような有限エネルギーによって動作時間が限定されず、装置が遭難者とともにあり、救助者が確実に遭難者を見つけ出せる水難救命装置を鋭意検討した。
その結果、海上に漂流する救命胴衣や浮輪の周囲に発生する波のエネルギーを利用して発電する波力発電装置を救命胴衣や浮輪に装着し、その発生電力で発光装置や発信機を動作させることで、前記課題を克服し得ることを見出した。
【０００６】
すなわち、本発明は、上記事情に鑑みてなされたもので、救命胴衣や浮輪などの水難救命具に装着し、波のエネルギーを電力に変える波力発電装置と発生する該電力によって発光する発光装置や場所情報を発信する発信機を具備してなる小型軽量の水難救命装置を提供することである。
【課題を解決するための手段】
【０００７】
本発明は、上記課題を解決するためになされたもので、以下の構成を具備している。
発明１は、救命胴衣及び浮輪の群から選択された水難救命具と、この水難救命具に装着された救命情報発信装置とを具備し、この救命情報発信装置は、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備えていることを特徴とする水難救命装置である。
【０００８】
発明２は、前記エネルギー受容装置が波のエネルギーで運動する浮体を備え、前記発電装置は、前記浮体の運動を電力に変換する機構を備えている第１の発明に記載の水難救命装置である。
【０００９】
発明３は、前記エネルギー受容装置が波のエネルギーで運動する浮体を備え、前記発電装置は、コイル軸に対して磁性体が平行に動くリニア発電機を備え、さらに、前記磁性体と前記浮体との間に両者を連結する伝達機構を備え、この伝達機構により、前記浮体の運動を前記磁性体に伝達して、前記リニア発電機により前記浮体の運動を電力に変換する第２の発明に記載の水難救命装置である。
【００１０】
発明４は、救命胴衣及び浮輪の群から選択された水難救命具に装着される救命情報発信装置であって、この救命情報発信装置が、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備えていることを特徴とする水難救命装置用救命情報発信装置である。
【発明の効果】
【００１１】
本発明によれば、遭難時間や視界の環境に関わらず、波のエネルギーによって電力を得て、光あるいは信号によって、遭難者の位置を的確に救助者に伝え得る水難救命装置及び水難救命装置用情報発信装置を提供することができる。
【図面の簡単な説明】
【００１２】
【図１】図１は第１実施形態にかかる水難救命装置の概略的な構成を示す図である。
【図２】図２は第１実施形態にかかるエネルギー受容装置と発電装置の概略的な構成を示す図である。
【図３】図３は第２実施形態にかかる水難救命装置の概略的な構成を示す図である。
【発明を実施するための形態】
【００１３】
いくつかの実施形態につき図面を参照しながら説明する。
（第１実施形態）
図１は第１実施形態にかかる水難救命装置の概略的な構成を示す図である。
浮輪１に接続バンド２によって救命情報発信装置を構成する発電装置３が固定されている。発電装置３にはＬＥＤ発光部４が具備されている。浮体６は運動伝達アーム５に固定され、波の運動を受けて運動伝達アーム５を上下動させる。図示しないが、運動伝達アーム５は発電装置３内部の永久磁石に連結し、永久磁石を上下させることで、図示しないが発電装置３内部のコイルに電力を発生させる。この電力をＬＥＤ発光部４に電導し、ＬＥＤを発光させる。ＬＥＤ発光部には、上下2面にLED７a，７bが貼られており、浮輪1の上下が反転しても光が天に向けて行くよう工夫されている。LED発光部4にはLEDを発光させるための電子回路、コントロール回路や蓄電部、発信装置なども組み込むことができる。こうした技術は公知の技術を用いればよいので詳述しない。LED７a，７bは発光効果を増すために別の場所、例えば接続バンド２の上下面等に設置してもよい。
浮体６は、発泡スチロールや、ビニール製で息を吹き込んで膨らませるもの、あるいは樹脂成型のものなど、浮力を発生させるものであればいずれをも使用し得る。運動伝動アーム５は、その構造に浮体６の運動エネルギーをあげるため、てこの原理を応用した連結部なども付加してもよい。
【００１４】
図２は第１実施形態にかかる救命情報発信装置を構成するエネルギー受容装置と発電装置と発光装置との概略的な構成を示す図である。
発電部８のケース内部にはコイル部１２が配置されている。一方、波力を受けた浮体６の動きを伝達する運動伝達アーム５に連結された永久磁石１１が前記コイル部１２の中央を上下し、コイル部１２に電力を発生させる。運動伝達アーム５は発電部８のケース上面と下面に開けられた穴によって発電部８に挿入され、上下動可能となっている。この穴の近傍には、浮体の動きをスムーズにするためのスプリングばね９a，９bと防水膜１０a，１０ｂが配置されている。この構成により、浮輪1が反転しても、同様の発電力が得られるように工夫されている。発電部８のケースの内部構造については、図２のようなリニア発電機のタイプではなく、運動伝達アーム５の上下動を、クランク機構等で回転運動に変換し、増速機等を通して、回転力で発電するタイプの発電機を配置することもできる。発電部８で使用する発電機構はいかなる公知の技術も使いうる。
【００１５】
（第２実施形態）
図３は第２実施形態にかかる水難救命装置の概略的な構成を示す図である。
救命胴衣１３の胸元に発電装置３を付けている。遭難者が漂流中に、浮体６が動けばLEDが発光する仕組みである。この図では、救命胴衣１３の胸元に発電装置３を装着しているが、本発明はこれに限定されるものではない。例えば、伸縮する紐で救命胴衣１３と発電装置３をつなげて海上を浮遊させる場合も、本発明における水難救命具に装着された救命情報発信装置に該当する。
なお上記実施例では、発光装置を装着した実施例について説明したが、発光装置とは別に発信装置を装着すること、或は、発光装置とともに発信装置を装着することも可能である。
【産業上の利用可能性】
【００１６】
本発明を利用すれば、海難事故などによる救命率を上げることはもちろんのこと、例えば浮遊し発光する浮輪によって、沈没船の場所の特定等にも効果を発揮することが期待される。
【符号の説明】
【００１７】
1---浮輪(水難救命具)、2---接続バンド、3---発電装置、4---LED発光部(発光装置)、5---運動伝達アーム(伝達機構)、6---(エネルギー受容装置の)浮体、７a、７ｂ---LED(発光装置)、８---発電部(リニア発電機)、９a、９ｂ---スプリングばね、１０a、１０ｂ---防水膜、１１---永久磁石、１２---コイル部、１３---救命胴衣(水難救命具)
【手続補正２】
【補正対象書類名】特許請求の範囲
【補正対象項目名】全文
【補正方法】変更
【補正の内容】
【特許請求の範囲】
【請求項１】
救命胴衣及び浮輪の群から選択された水難救命具と、この水難救命具に装着された救命情報発信装置とを具備し、この救命情報発信装置は、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備えていることを特徴とする水難救命装置。
【請求項２】
前記エネルギー受容装置は波のエネルギーで運動する浮体を備え、前記発電装置は、前記浮体の運動を電力に変換する機構を備えている請求項１に記載の水難救命装置。
【請求項３】
前記エネルギー受容装置は波のエネルギーで運動する浮体を備え、前記発電装置は、コイル軸に対して磁性体が平行に動くリニア発電機を備え、さらに、前記発電装置の磁性体と前記エネルギー受容装置の浮体との間に両者を連結する伝達機構を備え、この伝達機構により、前記浮体の運動を前記磁性体に伝達して、前記リニア発電機により前記浮体の運動を電力に変換する請求項２に記載の水難救命装置。
【請求項４】
救命胴衣及び浮輪の群から選択された水難救命具に装着される救命情報発信装置であって、この救命情報発信装置は、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備えていることを特徴とする水難救命装置用救命情報発信装置。
【手続補正４】
【補正対象書類名】図面
【補正対象項目名】図２
【補正方法】変更
【補正の内容】
【図２】
2017210224.tif 000006
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
救命胴衣及び浮輪の群から選択された水難救命具と、この水難救命具に装着された救命情報発信装置とを具備し、この救命情報発信装置は、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備え、
前記エネルギー受容装置は、波のエネルギーで上下動する浮体と、浮体に固定され、前記浮体の上下動に基づいて上下動する運動伝達アームとを備え、
前記運動伝達アームは、前記発電装置に対して上下動可能に連結され、
前記発電装置は水難救命具に固定され、運動伝達アームの上下動を電力に変換する機構を備えていることを特徴とする水難救命装置。
【請求項２】
前記発電装置は、コイル軸に対して磁性体が平行に動くリニア発電機を備え、前記運動伝達アームにより、前記浮体の上下動を前記磁性体に伝達して、前記リニア発電機により前記浮体の運動を電力に変換する請求項１に記載の水難救命装置。
【請求項３】
前記発電装置は、前記運動伝達アームの上下運動を回転運動に変換する機構と、この回転運動変換機構で得られた回転運動を増速する機構と、増速された回転運動により発電する機構を備えている請求項１に記載の水難救命装置。
【請求項４】
前記水難救命具は浮輪である請求項１〜３のいずれか１項に記載の水難救命装置。
【請求項５】
前記救命情報発信装置は、波のエネルギーを受容して動力を発生するエネルギー受容装置と、このエネルギー受容装置で発生した動力を、運動伝達アームを介して電力に変換する発電装置と、この発電装置で変換された電力によって発光する発光装置を備えている請求項１〜４のいずれか１項に記載の水難救命装置。
【請求項６】
前記運動伝達アームは、てこの原理を応用して上下動する請求項１〜５のいずれか１項に記載の水難救命装置。
【請求項７】
救命胴衣及び浮輪の群から選択された水難救命具に装着される救命情報発信装置であって、この救命情報発信装置は、波のエネルギーを受容して動力を発生するエネルギー受容装置と、このエネルギー受容装置で発生した動力を、電力に変換する発電装置と、この発電装置で変換された電力によって発光する発光装置及び前記発電装置で変換された電力によって発信する発信装置の群から選択された少なくとも一つの装置を備え、
前記エネルギー受容装置は、波のエネルギーで上下動する浮体と、浮体に固定され、前記浮体の上下動に基づいて上下動する運動伝達アームとを備え、
前記運動伝達アームは、前記発電装置に対して上下動可能に連結され、
前記発電装置は水難救命具に固定され、運動伝達アームの上下動を電力に変換する機構を備えていることを特徴とする水難救命装置用救命発信装置。
【請求項８】
前記発電装置は、コイル軸に対して磁性体が平行に動くリニア発電機を備え、前記運動伝達アームにより、前記浮体の運動を前記磁性体に伝達して、前記リニア発電機により前記浮体の運動を電力に変換する請求項７に記載の水難救命装置用救命情報発信装置。
【請求項９】
前記発電装置は、前記運動伝達アームの上下運動を回転運動に変換する機構と、この回転運動変換機構で得られた回転運動を増速する機構と、増速された回転運動により発電する機構を備えている請求項７に記載の水難救命装置用救命情報発信装置。
【請求項１０】
水難救命具は浮輪である請求項７〜９のいずれか１項に記載の水難救命装置用救命情報発信装置。
【請求項１１】
救命情報発信装置は、波のエネルギーを受容して動力を発生するエネルギー受容装置と、このエネルギー受容装置で発生した動力を、運動伝達アームを介して電力に変換する発電装置と、この発電装置で変換された電力によって発光する発光装置を備えている請求項７〜１０のいずれか１項に記載の水難救命装置用救命情報発信装置。
【請求項１２】
前記運動伝達アームは、てこの原理を応用して上下動する請求項７〜１１のいずれか１項に記載の水難救命装置用救命情報発信装置。
【手続補正２】
【補正対象書類名】明細書
【補正対象項目名】０００７
【補正方法】変更
【補正の内容】
【０００７】
本発明は、上記課題を解決するためになされたもので、以下の構成を具備している。
発明１は、救命胴衣及び浮輪の群から選択された水難救命具と、この水難救命具に装着された救命情報発信装置とを具備し、この救命情報発信装置は、波のエネルギーを受容して動力を発生するエネルギー受容装置と、このエネルギー受容装置で発生した動力を電力に変換する発電装置と、この発電装置で変換された電力によって発光する発光装置及び前記発電装置で変換された電力によって発信する発信装置の群から選択された少なくとも一つの装置を備え、
前記エネルギー受容装置は、波のエネルギーで上下動する浮体と、浮体に固定され、前記浮体の上下動に基づいて上下動する運動伝達アームとを備え、
前記運動伝達アームは、前記発電装置に対して上下動可能に連結され、
前記発電装置は水難救命具に固定され、運動伝達アームの上下動を電力に変換する機構を備えていることを特徴とする水難救命装置である。
【手続補正３】
【補正対象書類名】明細書
【補正対象項目名】０００８
【補正方法】変更
【補正の内容】
【０００８】
発明２は、前記発電装置が、コイル軸に対して磁性体が平行に動くリニア発電機を備え、前記運動伝達アームにより、前記浮体の運動を前記磁性体に伝達して、前記リニア発電機により前記浮体の運動を電力に変換する発明１に記載の水難救命装置である。
【手続補正４】
【補正対象書類名】明細書
【補正対象項目名】０００９
【補正方法】変更
【補正の内容】
【０００９】
発明３は、前記発電装置が、前記運動伝達アームの上下運動を回転運動に変換する機構と、この回転運動変換機構で得られた回転運動を増速する機構と、増速された回転運動により発電する機構を備えている発明１に記載の水難救命装置である。
【手続補正５】
【補正対象書類名】明細書
【補正対象項目名】００１０
【補正方法】変更
【補正の内容】
【００１０】
発明４は、水難救命具が浮輪である発明１〜３のいずれかに記載の水難救命装置である。
発明５は、救命情報発信装置が、波のエネルギーを受容して動力を発生するエネルギー受容装置と、このエネルギー受容装置で発生した動力を、運動伝達アームを介して電力に変換する発電装置と、この発電装置で変換された電力によって発光する発光装置を備えている発明１〜４のいずれかに記載の水難救命装置である。
発明６は、前記運動伝達アームが、てこの原理を応用して上下動する発明１〜５のいずれかに記載の水難救命装置である。
発明７は、救命胴衣及び浮輪の群から選択された水難救命具に装着される救命情報発信装置であって、この救命情報発信装置は、波のエネルギーを受容して動力を発生するエネルギー受容装置と、このエネルギー受容装置で発生した動力を、電力に変換する発電装置と、この発電装置で変換された電力によって発光する発光装置及び前記発電装置で変換された電力によって発信する発信装置の群から選択された少なくとも一つの装置を備え、
前記エネルギー受容装置は、波のエネルギーで上下動する浮体と、浮体に固定され、前記浮体の上下動に基づいて上下動する運動伝達アームとを備え、
前記運動伝達アームは、前記発電装置に対して上下動可能に連結され、
前記発電装置は水難救命具に固定され、運動伝達アームの上下動を電力に変換する機構を備えていることを特徴とする水難救命装置である。
発明８は、前記発電装置が、コイル軸に対して磁性体が平行に動くリニア発電機を備え、前記運動伝達アームにより、前記浮体の運動を前記磁性体に伝達して、前記リニア発電機により前記浮体の運動を電力に変換する発明７に記載の水難救命装置用救命情報発信装置である。
発明９は、前記発電装置が、前記運動伝達アームの上下運動を回転運動に変換する機構と、この回転運動変換機構で得られた回転運動を増速する機構と、増速された回転運動により発電する機構を備えている発明７に記載の水難救命装置用救命情報発信装置である。
発明１０は、水難救命具は浮輪である発明７〜９のいずれかに記載の水難救命装置用救命情報発信装置である。
発明１１は、救命情報発信装置が、波のエネルギーを受容して動力を発生するエネルギー受容装置と、このエネルギー受容装置で発生した動力を、運動伝達アームを介して電力に変換する発電装置と、この発電装置で変換された電力によって発光する発光装置を備えている発明７〜１０のいずれかに記載の水難救命装置用救命情報発信装置である。
発明１２は、前記運動伝達アームが、てこの原理を応用して上下動する発明７〜１１のいずれかに記載の水難救命装置用救命情報発信装置である。